Podtech/llm-jp-corpus-v4-ja_patent huggingface dataset:
(57)【要約】【課題】鬱金の有効成分を歯の付け根部、及び歯茎部に良好に付与できる歯部洗浄用携行練物を得る。【解決手段】鬱金を主成分とする粘状の練物（３）を設け、該練物（３）をキャップ（２）付きの容器（１）に充填することにより、取り扱いを容易にして鬱金の成分による歯の付け根部、及び歯茎部の洗浄作業が行えるようにする。【選択図】        図１
2004149491.tif 000002
【特許請求の範囲】
【請求項１】
鬱金を主成分とする粘状の練物（３）を設け、該練物（３）をキャップ（２）付きの容器（１）に充填したことを特徴とする歯部洗浄用携行練物。
【請求項２】
鬱金の根茎を粉状にした粉状体に又は該根茎のエキスに水を添加して粘状の練物（３）を設け、該練物（３）をキャップ（２）付きの容器（１）に充填したことを特徴とする歯部洗浄用携行練物。
【発明の詳細な説明】
【０００１】
【発明の属する技術分野】
本発明は、歯の付け根部、歯茎部等を洗浄する歯部洗浄用携行練物に関するものである。
【０００２】
【従来の技術】
従来は、処方された所定の薬剤、あるいは炭酸カルシウム、燐酸カルシウムを主成分とする市販の練歯磨を使用して歯部を洗浄するようにしていた。
【０００３】
【発明が解決しようとする課題】
処方される薬剤は医師の診察を経て入手できることになるため、非診察者は入手し難くなる。また、市販の練歯磨は歯を磨く成分が主体となっているため、薬用機能が少ないものであった。本発明は、上記不具合を解消した新規な歯部洗浄用携行練物を得ることを目的とする。
【０００４】
【課題を解決するための手段】
本発明は、上記課題を解決するために以下の如く構成したものである。即ち、請求項１に係る発明は、鬱金を主成分とする粘状の練物を設け、該練物をキャップ付きの容器に充填したものである。
また、請求項２に係る発明は、鬱金の根茎を粉状にした粉状体に又は該根茎のエキスに水を添加して粘状の練物を設け、該練物をキャップ付きの容器に充填したものである。
【０００５】
【発明の実施の形態】
以下、本発明の実施の形態を図面に基いて説明する。図面において、図１は本発明の実施例を示す一部断面側面図、図２は使用状態を示す要部断面側面図である。
【０００６】
図１において、１は容器、３は該容器内に充填した練物である。容器１は、可撓性のプラスチックにより細長い筒状に形成するとともに、左端を閉塞し、右端に口１ａを形成し、該口１ａにキャップ２を着脱可能に取り付けてなる。また、上記練物３は、鬱金の根茎を粉状にした粉状体に所定量の水を加えて練り合せ、柔らかい粘土状にしてなる。なお、上記練物３は、鬱金の成分を濃縮したエキスに水を加えて粘状にするようにしてもよい。
【０００７】
上記鬱金は、春鬱金、秋鬱金の種類があり、本例の練物３は、両者を混ぜ合わせてこれらに水を加えて粘状としている。なお本発明による練物３は、春鬱金又は秋鬱金のいずれか一方を選択して形成するようにしてもよい。
【０００８】
次に上記実施例の使用態様について説明する。まず、図２に示すように、キャップ２を外して容器１の口１ａを開き、該容器１の胴部を挟圧して内部の練物３を所定量押し出し、該押し出した練物３ａを歯ブラシ４に付ける。次いで該歯ブラシ４を介して上記練物３ａを歯の付け根部、及び歯茎部に擦り付ける。この擦り付ける時間は本例では１５秒〜３０秒間とする。
【０００９】
これにより、鬱金の有効成分が歯の付け根部、及び歯茎部に良好に行き渡ることになる。なお、上記練物３を指で歯の付け根部、及び歯茎部を揉み洗いするようにしてもよい。本出願人は、上記擦り付け作業又は揉み洗いを一日当たり３〜４回の割合で約３カ月間継続したところ、歯槽膿漏の症状が軽減し、その後医師による治療が不要となった。
【００１０】
【発明の効果】
以上の説明から明らかな如く、本発明は、歯の付け根部、及び歯茎部に鬱金の有効成分を良好に行き渡らせ、該鬱金の有効成分による歯の付け根部、及び歯茎部の洗浄機能が高くなる。また、鬱金を主成分とする粘状の練物をキャップ付きの容器に充填するようにしたので、容易に携行できるとともに練物の劣化を防止することができる。
【図面の簡単な説明】
【図１】本発明の実施例を示す一部断面側面図である。
【図２】使用状態を示す要部断面側面図である。
【符号の説明】
１    容器
１ａ  口
２    キャップ
３、３ａ    練物
４    歯ブラシ
【図１】
2004149491.tif 000003
【図２】
2004149491.tif 000004
(57)【要約】【課題】発毛、育毛、養毛効果の高い微生物を利用した育毛剤の提供を目的とする。【解決手段】コリネバクテリウム属に属する細菌を醸造酢を培地として培養し、その細菌を含む培養液を原液とし、約５〜１０ｍＬを、滅菌、殺菌処理した水、約１０００ｍＬに加えて約１週間〜２週間、この細菌を水で増殖させた培養液を育毛剤として使用する。コネリ菌を水で希釈培養したことにより、適度の増殖に保つことが出来て、そのまま、育毛剤として利用できる。【選択図】  なし【特許請求の範囲】
【請求項１】
コリネバクテリウム（Ｃｏｒｙｎｅｂａｃｔｅｒｉｕｍ）属に属する細菌を水にて培養して得られる培養液を含有することを特徴とする育毛剤。
【発明の詳細な説明】
【０００１】
【発明の属する技術分野】
本発明は、微生物（細菌）を利用した育毛剤、養毛剤に関する。
【０００２】
【従来の技術】
頭皮において、薄毛、脱毛等のいわゆる脱毛症に悩む人が多く、育毛剤に対する期待が非常に高い。
しかし、頭髪が抜ける脱毛や、髪の毛が細く、うすい薄毛の原因は複雑であり、充分に育毛効果のある育毛剤が未だに出現していない。
【０００３】
従来から育毛剤として、毛根に浸透して血管を拡張しようとする成分を含むもの、血行促進を目的とする成分、毛乳頭を刺激する成分等、各種成分組成を有するものが提案されている。
また、これらの成分を動植物から抽出する方法のみならず、微生物培養により産生させる方法等も提案されている。
【０００４】
特開２００１−３２８９２３号には、エンターバクター属又はシュードモナス属に属する微生物を液体培地で培養し、その培養溶液から微生物を除いた菌産生物質を含む培養液からなる育毛剤が提案されている。
また、特開２００２−１２８６８４号には、クロサイワイタケ属、又はラシオディプロディア属に属する微生物を培養することにより得られる培養液からなる育毛剤が提案されている。
【０００５】
しかし、これらは微生物を培養後に培養液から微生物を除去しなければならず、また、培養液によっては、培養のための添加成分が育毛剤として好ましくない場合も多い。
【０００６】
【特許文献１】
特開２００１−３２８９２３号公報
【特許文献２】
特開２００２−１２８６８４号公報
【０００７】
【発明が解決しようとする課題】
本発明は、発毛、育毛、養毛効果の高い微生物を利用した育毛剤の提供を目的とする。
【０００８】
【課題を解決するための手段】
本発明は、上記目的を達成するために、コリネバクテリウム（Ｃｏｒｙｎｅｂａｃｔｅｒｉｕｍ）属に属する細菌を水にて培養して得られる培養液を含有する育毛剤とした。
【０００９】
本発明においては、微生物を培養液から除去することなく、育毛剤として利用できる。
より具体的には、コリネバクテリウム属に属する細菌を醸造酢を培地として培養し、その細菌を含む培養液を原液とし、約５〜１０ｍＬを、滅菌、殺菌処理した水、約１０００ｍＬに加えて約１週間〜２週間、この細菌を水で増殖させた培養液を育毛剤として使用するものである。
なお、上記育毛剤として使用する水培地には、他の菌が混入して水が腐らないように、パラオキシ安息香酸ブチル等の防腐剤を添加するのが好ましい。
ここで、コリネバクテリウムを、醸造酢を培地として培養したものを原液として用いたのは、原液培養中に他の腐敗菌が混入し、腐敗するのを防止したものである。
【００１０】
【発明の実施の形態】
本発明に利用されるコリネバクテリウム（Ｃｏｒｙｎｅｂａｃｔｅｒｉｕｍ）は、グラム陽性を示す桿菌で、非運動性であった。
また、無芽胞性、クタラーゼ陽性を示した。
この細菌を醗酵させて得られる醸造酢を培地として、２０〜６０℃にて２週間〜１ヶ月間以上培養保存した。
【００１１】
上記にて培養した細菌が含まれたままの培養液を原液とし、これを５〜１０ｍＬ取り出し、沸騰処理により殺菌処理した後、約４０〜３０℃以下に冷却した水１０００ｍＬに加えて、よくかき混ぜた。
次に、このまま約１週間〜２週間保存放置した。
また、他の菌が混入して水が腐敗するのを防止するために、パラオキシ安息香酸ブチルを０．１〜０．２質量％加えた。
【００１２】
このようにして得られた育毛剤（細菌が入ったままの培養液）を薄毛、脱毛症で悩んでいる男性数人に依頼して、１日に、２〜３回、頭皮部に滴下して効果を確認した。
その結果、毛根に浸透し、早い人で１〜２週間で細かった毛が太く、濃くなったとの自覚が現れた。
また、数ヶ月間継続使用することで、モニターを依頼した男性全ての人に発毛、育毛、養毛の効果が現われた。
【００１３】
【発明の効果】
本発明においては、コネリ菌を水で希釈培養することで、頭髪の毛根を刺激し、発毛及び育毛効果の高い育毛剤が得られる。
なお、本発明においては、コネリ菌を水で希釈培養したことにより、適度の増殖に保つことが出来て、そのまま、育毛剤として利用できたものである。
(57)【要約】【課題】大掛かりな装置を必要とせず、安価な装置で虫がかご内に入らないようにし、ビル内の衛生を保つことのできるエレベーターの制御装置を提供する。【解決手段】虫が明りに集まる習性を利用し、かご内から虫が入る可能性がある階のドアを開くときにかご内に設けた照明３０を消灯し、また同時に乗場に設けた集蛾灯４０を点灯させる装置を設けたものである。【効果】虫が集蛾灯に集まりかご内の照明に集まらないようにし、虫がかご内に入らないようにすることができ、大掛かりな装置を必要とせず、安価な装置で虫がかご内に入らないようにし、ビル内の衛生を保つことができる。【選択図】        図１
2004149259.tif 000002
【特許請求の範囲】
【請求項１】
乗場に設けられる乗場釦の押圧で乗場呼びが登録されると、かごを走行させ、登録階に到着するとドアを所定時間開放するエレベーターの制御装置において、少なくとも屋外に面する出入り口を有する特定階のドアを開くと、前記かご内に設けた照明を消灯するとともに、この特定階の乗場に設けた集蛾灯を点灯させるようにしたことを特徴とするエレベーターの制御装置。
【発明の詳細な説明】
【０００１】
【発明の属する技術分野】
本発明は、エレベーターの制御装置に係り、外からの昆虫や小動物がかご内に入り込まないようにし、ビル内の衛生を保つのに最適なエレベーターの制御装置に関する。
【０００２】
【従来の技術】
従来の技術には、エレベーターのかご上に設置される空調機を備え、この空調機によってかご内を空調するエレベーターのかご内空調装置において、前記空調機に乗かご内の空気を吸い込むダクトと、昇降路の空気を吸い込むダクトとを設けると共に、前記空調機が吸い込む空気を前記かごの空気を吸い込むダクトからか、或いは昇降路から吸い込むダクトからかを切り替える切替装置を設けたことを特徴とするエレベーターのかご内空調装置が知られている（例えば、特許文献１参照。）。これによれば、空調機の冷気をかご内からかご外へ出すことにより、かご外からの暖気がかご内に入らないようにしている。さらにこの技術は、かご外からの虫がかご内に入り込むことを防ぐこともできる。
【０００３】
【特許文献１】
特開平５−２７８９７１号公報
（段落番号０００９−００１３、第１図）
【０００４】
【発明が解決しようとする課題】
ところで、従来のものでは、虫がかご内に入らないようにする程度の風量の空調機が必要となるため、大掛かりな装置を取付けなければならないという問題があった。
【０００５】
本発明の目的は、大掛かりな装置を必要とせず、安価な装置で虫がかご内に入らないようにし、ビル内の衛生を保つことのできるエレベーターの制御装置を提供することにある。
【０００６】
【課題を解決するための手段】
上記目的を達成するために本発明は、乗場に設けられる乗場釦の押圧で乗場呼びが登録されると、かごを走行させ、登録階に到着するとドアを所定時間開放するエレベーターの制御装置において、少なくとも屋外に面する出入り口を有する特定階のドアを開くと、前記かご内に設けた照明を消灯するとともに、この特定階の乗場に設けた集蛾灯を点灯させるようにしたものである。
【０００７】
このように構成したので、本発明は、虫が明りに集まる習性を利用したもので、かご外から虫が入る可能性がある屋外に面する出入り口を有する階床のドアを開くとき、かご内に設けた照明を消灯し、また同時に乗場に設けた集蛾灯を点灯させることで、虫が集蛾灯に集まるので、かご内に虫が入らない。
【０００８】
【発明の実施の形態】
本発明の一実施形態を図１〜図３により説明する。
【０００９】
図１は本発明の一実施形態の要部回路図、図２は本発明の一実施形態のかご内照明と集蛾灯の位置関係図、図３は図１に示すマイクロコンピュータの要部処理のフローチャートである。
【００１０】
図１において、２０はマイクロコンピュータであり、エレベーターの運転などを制御している。ここでは、ＲＹ１リレーの駆動制御を行なっている。１０はＲＹ１リレー、３０はＬＩＧＨＴ１かご内照明、４０はＬＩＧＨＴ２乗場の集蛾灯である。
【００１１】
ここで、ＲＹ１がｏｆｆのときはＬＩＧＨＴ１かご内照明が点灯し、ＬＩＧＨＴ２乗場の集蛾灯が消灯する。反対にＲＹ１がｏｎのときはＬＩＧＨＴ１かご内照明が消灯し、ＬＩＧＨＴ２乗場の集蛾灯が点灯する。
【００１２】
図２において、５０はエレベーターのかごであり、出入り口が二方向にある。このエレベーターは、１階の出入り口がビルの屋外に面しており、２階の出入り口はビルの内側にある。そのため、１階にいるときドアを開けると屋外から虫が入り、エレベーターが２階でドアを開けたときにビル内に虫が入り込み不衛生となる。３０はかご内照明、４０は乗場の集蛾灯であり、１階の軒下に取付けてある。
【００１３】
ここで、本発明の制御装置は、屋外に面している１階にかごが停止しているとき、乗場の集蛾灯４０が点灯し、虫が乗場の集蛾灯４０に集まり、かご内照明３０は消灯し、虫がかご内に入らないように動作する。
【００１４】
図３において、マイクロコンピュータ内部の処理を示したフローチャートである。１００はエレベーターが１階にいるかどうかの判定である。また２００はドアが閉じているか開いているかの判定である。ここで、エレベーターが１階以外の場合は、３００でＲＹ１をｏｆｆとなり、図１で説明したとおり、ＬＩＧＨＴ１かご内照明が点灯し、ＬＩＧＨＴ２乗場の集蛾灯が消灯する。もし、エレベーターが１階にいてドアが開いている場合は、４００でＲＹ１をｏｎとなり、図１で説明したとおり、ＬＩＧＨＴ１かご内照明が消灯し、ＬＩＧＨＴ２乗場の集蛾灯が点灯する。
【００１５】
【発明の効果】
本発明によれば、虫が明りに集まる習性を利用し、虫が入る可能性のある階のドアを開くときにかご内の照明を消灯し乗場の集蛾灯を点灯することで虫がかご内に入らないようにすることができ、ビル内の衛生を保つことができる。また、大掛かりな装置を必要とせず、安価な装置で虫がかご内に入らないようにする装置を提供することができる。
【図面の簡単な説明】
【図１】本発明の一実施形態の要部回路図である。
【図２】本発明の一実施形態のかご内照明と集蛾灯の位置関係図である。
【図３】図１に示すマイクロコンピュータの要部処理のフローチャートである。
【符号の説明】
１０  リレー
２０  マイクロコンピュータ
３０  かご内照明
４０  乗場の集蛾灯
５０  かご
【図１】
2004149259.tif 000003
【図２】
2004149259.tif 000004
【図３】
2004149259.tif 000005
(57)【要約】【課題】従来の油さし洗浄びん等の容器は給液パイプが固定式の為、上向きにして使うか下向きにして使用しなければ液切れして使用出来なかった。本発明はその欠点を補う為重力作用を利用してどのように傾けても液切れせずに作業できるような容器を提供する。【解決手段】（図２）解説図に示すようにどのように傾けても重力の作用で必ず液面は真下になります。本発明はおもり付チューブを用いる事で重力の作用を利用して給液口を液面の一番底に沈めます。この原理はどのような傾きにおいても作用するため上向きにしても下向きにしても液切れすることなく油さし及び洗浄等の作業が行える容器の作成を可能にします。【選択図】    図１
2004149208.tif 000002
【特許請求の範囲】
【請求項１】
ボトル内の給液パイプ部におもり付チューブを用いることにより（図２）解説図に示すように上下どちらに傾けても液切れせずに作業が出来る構造の容器。
用途例（油さし、洗浄ビン）等
【発明の詳細な説明】
【０００１】
【発明の属する技術分野】
本発明は液体を取り扱う容器に関するものである。
【０００２】
【従来の技術】
従来の容器は給液パイプが固定式の為、上向きにして使うか下向きにして使用しなければ液切れして使用出来なかった。
【０００３】
【発明が解決しようとする課題】
上下いずれに傾いても液出し作業が出来る容器を作成する。
【０００４】
【課題を解決するための手段】
固定式パイプだと傾きにより液面が切れる為パイプ中央よりおもり付チューブに替え重力を利用することで解決できます。
変更効果は（図２）解説図に示すように重力の作用で液面が下になるがおもりの重力作用によりチューブ給液口も一番底に沈むためどのように傾けても液切れすることがなくなる。
【０００５】
【発明の実施の形態】
（図２）解説図に示すようにどのように傾けても重力の作用で必ず液面は真下になるが、可動式で錘付チューブのため重力の作用で給液口も一番底に沈みます。この原理はどのように傾けても作用するため上向きにしても下向きにしても液切れすることなく給液が行えます。
【００６】
【発明の効果】
油をさす作業で今まで液量及び傾きかげんで液切れし作業しづらかったが、本発明を使用すればどのように傾けても液切れしない為、傾きを気にせず自在に扱えるのでストレスを感じず作業効率があがります。
洗浄びんを使用し器具を洗う際も上記同様の効果があります。
【００７】
【図面の簡単な説明】
【図１】部分断面図
【図２】解説図
【符号の説明】
１  容器本体
２  パイプ
３  チューブ
４  おもり
【図１】
2004149208.tif 000003
【図２】
2004149208.tif 000004
(57)【要約】【課題】従来は１容器で１つの液体を取り扱うのが一般的であったが、本発明はセットで使用する事の多い２液を２つに仕切られた容器に入れ傾けるだけで確実に希望する液体のみを取り出せるようにする。【解決手段】（図３）解説図を参照すればご理解していただけると思いますが、２つに仕切られた容器に入っている２液体を２つのボール形式の弁機構を配したキャップを用い出したい液体側に傾ける事で下側のボールは球形のくぼみに落ち液体の通路を開け逆に上のボールは通路を閉じる役割をするため確実に希望する液体のみを取り出すことが出来るようにした。【選択図】    図３
2004149209.tif 000002
【特許請求の範囲】
【請求項１】
２つに仕切られた容器に２液を入れ片方に傾けることで（図３）解説図に示されるように２つのボール弁機構により確実に希望する液体のみを取り出すことの出来る構造の容器。
【発明の詳細な説明】
【０００１】
【発明の属する技術分野】
本発明は２液体を取り扱う容器に関するものである。
【０００２】
【従来の技術】
従来は１容器に１つの液体を入れ取り扱うのが一般的である。
【０００３】
【発明が解決しようとする課題】
別々の意味を持つ２液体であるが、セットで使用する事の多いものを１つの容器で取り扱えれば整理取り扱いが簡便になります。
例えば、リンスとシャンプー（リンスｉｎシャンプーとボディシャンプー）化粧水と乳液  調味料（醤油と酢ｏｒ醤油とソース）など１つの容器で２つの液体を使用出来れば大変便利である。
【０００４】
【課題を解決するための手段】
２つに区切られた容器に入っている２液体を２つのボール形式の弁機構を用いて傾けることで選択された液の方の弁は開き他液側の弁は閉まる構造として確実に希望する液体のみを取り出すことが出来るようにする。
（図３）解説図を参照の事。
【０００５】
【発明の実施の形態】
（図３）解説図のように取り出したい液体側に傾けると下のボールは球形のくぼみに落ち液体の通路を開け逆に上のボールは通路を閉じる役割をするので選択的に下の方の液体のみを取り出すことが可能となります。
また、空気穴は中央隔壁に小さな穴を通し傾けたときに作用するようにした。
【００６】
【発明の効果】
今まで別々の容器で行っていた行為が１つの容器で行えるようになればデザインもスマートで管理取り扱いが非常に便利になります。
また、本発明は２液の組み合わせ次第では広範囲での用途が考えられます。
【００７】
【図面の簡単な説明】
【図１】本発明の右側面図である。
【図２】右断面図
【図３】解説図
【符号の説明】
１  容器本体
２  キャップ部
３  ボール
４  隔壁
５  空気口
【図１】
2004149209.tif 000003
【図２】
2004149209.tif 000004
【図３】
2004149209.tif 000005
(57)【要約】【課題】拭くときに、指の滑らないワイピングクロスを提供する。【解決手段】ワイピングクロス（１）の裏面（２）に、ラテックス／発泡体液（３）を塗布し、発泡（７）させたことを特徴とする。【選択図】  図１
2004149999.tif 000002
【特許請求の範囲】
【請求項１】
各種ワイピングクロス（１）の裏面（２）にラテックス（３）を塗布発泡加工（７）を施して滑り止めとしたことを特徴とするワイピングクロス。
【発明の詳細な説明】
【０００１】
【発明の属する技術分野】
この発明は指が滑らないワイピングクロスに関するものである。
【０００２】
【従来の技術】
従来の物は、特に滑り止め加工を施したものは見当たらない。ただし、実用新案公開平０６−０２４６６５で、高摩擦不織布を裏面に接着したワイピングクロスが、出願されている。
【０００３】
【発明が解決しようとする課題】
これらには、次のような欠点があった。
（イ）従来の物は、眼鏡やカメラのレンズ等の拭き取り中に、指先とワイピングクロスの間で滑りを生じていた。特に高齢者においては、年齢とともに指先の皮膚表面の角質が硬化する為、指先が滑りやすくなり、拭き取りが困難であった。
（ロ）実用新案公開平０６−０２４６６５の考案は、滑り止めのために用いる素材、加工法が全く異なり、コスト高となる。
本発明は、これらの欠点をのぞくためになされたものである。
【０００４】
【課題を解決するための手段】
各種ワイピングクロス（１）の裏面（２）にラテックス（３）を塗布発泡加工（７）を施して滑り止めとしたことを特徴とするワイピングクロス。
本発明は、以上の構成よりなるワイピングクロスである。
【０００５】
【発明実施の形態】
以下、本発明の実施の形態について説明する。
（イ）既存のワイピングクロス（１）の裏面（２）にアクリル酸エステル共重合／熱発泡剤のラテックスを粘度３５００ｍｐａ／ｓ（ＢＭ型Ｎｏ．３×１２ｒｐｍ／常温）に調整した液（３）をグラビアコート機（４）を用いて塗布する。
（ロ）続いて、加熱機（５）に入り、温風（６）１００℃〜１５０℃にて、１５〜２０秒間加熱して発泡（７）させることにより、滑り止め効果の高い、指が滑らないワイピングクロス（８）が仕上がる。
本発明の実施の形態では、素材としてアクリル系ラテックスを例に説明したが、スチレン・ブタジエン系、その他のラテックスでも発泡加工できる。
【０００６】
【発明の効果】
本発明のワイピングクロスは指との接触面に弾力のある発泡体を有するため、眼鏡やカメラのレンズ等の拭き取り時、ワイピングクロスと指先とが、良く密着して滑らないので、楽に、思うように、綺麗に拭き取りができる。
【図面の簡単な説明】
【図１】本発明の加工工程図である。
【図２】本発明の仕上がり品図である。
【符号の説明】
１  既成ワイピングクロス、  ２  クロス裏面、  ３  ラテックス調整液、
４  グラビアコート機、  ５  加熱機、  ６  温風、  ７  発泡部、
８  加工済ワイピングクロス
【図１】
2004149999.tif 000003
【図２】
2004149999.tif 000004
(57)【要約】      （修正有）【課題】健康に良い靴下を提供する。【解決手段】足の裏に接する靴下の中に、ゴムで大小の凹凸を取り付け、ゴムの中に磁石を埋め込んだ靴下ではいて歩く事で指圧効果のある靴下である。【選択図】図１
2004150000.tif 000002
【特許請求の範囲】
【請求項１】
足の裏に接する靴下の中に、足の裏の壺の位置に接する所にゴムで大小の凹凸を取り付けて、ゴムの中に磁石を埋め込んだ事を特徴とした靴下である。
【発明の詳細な説明】
（発明の属する技術分野）
この靴下をはいて歩く事で健康によい。
（従来の技術）
サンダルにわ凹凸が付いている物がある。
（発明が解決しようとする課題）
（イ）靴下の中にゴムで凹凸が付いた物がない。
（ロ）靴下をはいて歩く事で指圧効果がえられる物がない。
（課題を解決するための手段）
靴下の中にゴムで大小の凹凸を取り付けた。
（作用）
この靴下をはいて歩く事で、足の裏の壺を刺激し指圧効果のある靴下である。
（発明の実施の型態）
足の裏に接している（２）靴下の中に、足の裏の壺の位置に接する所に（３）ゴムで大小の凹凸を取り付けて、（３）ゴムの中に（４）磁石を埋め込んだ（１）靴下である。
（発明の効果）
靴下をはいて歩く事で指圧効果がえられ健康によい。
【図面の簡単な説明】
【図１】靴下と靴下の中にゴムを取り付けた側面図
【図２】足の裏が接する靴下の中の大小のゴムの凹凸を取り付けた平面図
【符号の説明】
（１）靴下
（２）靴下の中
（３）ゴム
（４）磁石
【図１】
2004150000.tif 000003
【図２】
2004150000.tif 000004
(57)【要約】【課題】従来の上記のようなネクタイは片面のみが装飾用に露出しており、ネクタイの裏面はラベルやメーカーの商標が付けられている。裏面は装飾目的には使用不可能である。さらに、着用中に装飾面が汚れると直ぐには洗濯が出来ず、汚れたままで着用しなければならない。さらに、従来のネクタイは片面の装飾面がある程度汚れるとネクタイとしての価値がなくなる。即ち、寿命である。従って、本発明の目的は、従来技術の上記欠点を克服し、付随的なもくてきに従い両面使用可能なネクタイを提供することである。【解決手段】本発明により上記欠点は、所定の織物構造を有する布地２にネクタイ裏地４を配置したことを特徴とするネクタイ１により達成される。【選択図】図１
2004149967.tif 000002
【特許請求の範囲】
【請求項１】
所定のＶ字型織物構造を有する布地２と、その布地２のＶ字型織物構造間にネクタイ裏地４が配置されていることを特徴とする両面使用可能ネクタイ。
【請求項２】
上記ネクタイ１の幅広端部の形状は一般的に中心線に対して対称型であるが、その幅広端部の形状を対称型のほかにインテリア風に片傾斜型構造を有することを特徴とする請求項１に記載の両面使用可能ネクタイ。
【請求項３】
上記ネクタイ１を構成する布地２・３が、上記ネクタイ１のＶ字型端部の合わせ面の縁に沿って形成された縫い目５により結合されていることを特徴とする請求項１に記載の両面使用可能ネクタイ。
【発明の詳細な説明】
【０００１】
【発明の属する技術分野】
本発明は、両面を使用可能なネクタイに属する。
【０００２】
【従来の技術】
従来のネクタイは、その形状の表面と裏面が歴然としており、裏面は布地
数回折り返された後、縫いつけられて完成したネクタイとなる。
【０００３】
【発明が解決しようとする課題】
上記のようなタイプのネクタイは、表面だけが装飾目的に使用され、裏面は装飾とは無縁の物であり、ラベルや商標が取り付けられている。
【０００４】表面のみ装飾目的の片面装飾ネクタイは、使用時に汚れた場合、代わりのネクタイを準備していないため汚れたまま着用せねばならない。
【０００５】従って本発明の目的は、従来技術の上記欠点を克服した両面使用可能なネクタイを提供することである。
【０００６】
【課題を解決する手段】
上記目的を解決するため、本発明は所定の織物構造を有する布地２，３をＶ字型に加工しＶ字型の間にネクタイ裏地４が配置されていることを特徴とするネクタイによって達成される。
【０００７】
【発明の実施の形態】
以下に添付図面を参照して、更に説明するが、本発明はこれに限定されるものではない。
【０００８】図１に示すネクタイは布地２をＶ字型に加工し、そのＶ字型の間にネクタイ裏地４を配置し、Ｖ字型合わせ面を縫い合わせるか又は、接着テープで張り合わせることにより全体を構成している。
【０００９】
【発明の効果】
本発明は、以上説明したように構成されているので、以下に記載されるような効果を奏する。
【００１０】本発明によるネクタイは２面が装飾面であるため、着用中に片面が汚れた場合、他の片面に結び変えることが可能である。
【００１１】更に、ネクタイは使用者の趣味により購入するものであり、両面使用可能であれば寿命が倍増し、使用者はその嗜好を永く楽しむことができる。
【００１２】本発明によるネクタイは、その構造が一般に市販されているネクタイより簡単であるので、製造面で安価である。
【００１３】
【図面の簡単な説明】
【図１】両面使用可能ネクタイ    その１
【図２】両面使用可能ネクタイ    その２
【図３】断面図
【符号の説明】
１．ネクタイ
２．布地
３．布地
４．裏地
５．縫い目
【図１】
2004149967.tif 000003
【図２】
2004149967.tif 000004
【図３】
2004149967.tif 000005
(57)【要約】【目的】短時間で省力化して繊維にマイナスイオン活性物質を付着させた繊維製品を得ることを目的とする。【解決手段】マイナスイオン活性物質を混在または溶解した水溶液をボイラーで加熱して、生成したマイナスイオン活性物質含有蒸気をセット室内に噴出させ、セット室内に配置した繊維製品にマイナスイオン活性物質を付着させたことを特徴とするマイナスイオン活性物質付着繊維製品の製造法及びそのマイナスイオン活性物質付着の繊維製品。【選択図】            図１
2004149949.tif 000002
【特許請求の範囲】
【請求項１】
マイナスイオン活性物質を混在または溶解した水溶液をボイラーで加熱して、生成したマイナスイオン活性物質含有蒸気をセット室に噴出させ、セット室内に配置した繊維製品にマイナスイオン活性物質を付着させたことを特徴とするマイナスイオン活性物質付着繊維製品の製造法。
【請求項２】
マイナスイオン活性物質含有蒸気によりマイナスイオン活性物質付着の繊維製品。
【発明の詳細な説明】
【０００１】
【発明の属する技術分野】
本発明は摩擦によりマイナスイオン活性となる繊維製品の製造法及びその繊維製品に関する。
【０００２】
【従来の技術】
マイナスイオンの環境への作用として、
１、空気の汚染を浄化、２、新建材などから室内に気化して出る有害物質などの浄化、３、タバコの煙や不快なにおいを分解、消臭、４、抗菌、殺菌作用によりカビの発生防止や臭いの除去等の効果があると言われている。
また、人体組織を活性化作用として、
１、体内細胞の酸性物質（毒素）を排泄し、アルカリ性に変えて血液の循環を高める、２、細胞の活性化、３、血液の浄化、４、アレルギー体質の改善、５、鎮痛作用等の効果があると言われている。
【０００３】
上記のようなことから、マイナスイオンを発生させる無機物の微粒子及びバインダー樹脂を含む粘度５〜２００センチポイズの加工溶液に布帛を浸漬し、所定の付着量となるように絞り、その後乾燥し、熱処理する無機微粒子付着加工布帛及びその製造方法（例えば、特開平１０−１９５７６４号公報）が提案されている。
また、天然放射性希有元素の微粒子粉末を紡糸以前の工程で合成樹脂または人造繊維形成用溶液に混入し、これを紡糸した繊維（特開平７−２５８９０９号公報）が提案されている。
【０００４】
【発明が解決しようとする課題】
しかし、上記前者においては、加工溶液に布帛を浸漬し、所定の付着量となるように絞り、その後乾燥し、熱処理する工程が必要であり、多大の労力と経費と時間を要する点で問題があり、また、上記後者においては、合成樹脂または人造繊維形成用溶液に天然放射性希有元素の微粒子粉末を混入し、これを紡糸する方法は、得られた繊維内に微粒子粉末が分散し、被覆された状態になり、空気中に露出させて直接空気中にエネルギーを放射させることは困難である。さらに、微粒子粉末を高い濃度での添加は、微粒子粉末の凝集が起こったり、糸の機械的強度が低下し、糸形成そのものが困難になるという問題がある。
【０００５】
本発明は、前記の各種の問題を解決して、短時間で省力化して繊維にマイナスイオン活性物質を付着させた繊維製品を得ることを目的とするものである。
【０００６】
【課題を解決するための手段】
本発明はマイナスイオン活性物質を混在または溶解した水溶液をボイラーで加熱して、生成したマイナスイオン活性物質含有蒸気をセット室に噴出させ、セット室内に配置した繊維製品にマイナスイオン活性物質を付着させたことを特徴とするマイナスイオン活性物質付着繊維製品の製造法にあり、また、それにより製造されたマイナスイオン活性物質付着の繊維製品自体にあります。
【０００７】
【発明の実施の形態】
本発明のマイナスイオン活性物質とは天照石、トルマリン、麦飯石
等の鉱石及びその加工品であり、例えば天照石の粉末とセメントとを１：１の割合で混合し、水で練り、約２〜３ｃｍの球状に成型し乾燥した加工品が用いられる。そしてその加工品を水槽に浸漬すると共にセット室及び乾燥室のマイナスイオン活性物質含有蒸気噴出口に近接して配置して蒸気を通過させて繊維製品に浸透させ効果を高めることができる。
【０００８】
本発明のマイナスイオン活性物質付着の繊維製品（靴下）の試験成績は、  ＪＩＳ  Ｌ  １０９４  ５．３．２に規定された操作による（平らな台の上に試料を広げ、絶縁棒を回転させないよう前方から手前に引く）。繰り返し摩擦回数１０回の測定値は５４０個／ｃｃであった。
（測定機器  神戸電波製  ＩＯＮ  ＴＥＳＴＥＲ  ＫＳＴ  ９００型）
本方法で４００個／ｃｃ程度が、イオン効果あるとの目安とされているから本繊維製品の５４０個／ｃｃは充分な効果として認められる。
【０００９】
また、洗濯処理３０回後のものについての上記と同じ試験を行ったその結果は２４０個／ｃｃであった。
【００１０】
【実施例】
本発明の実施の形態を実施例にもとづき図面を参照して説明する。
図１において、２００リッター水槽１に、天照石をセラミック加工した顆粒剤２．５ｋｇと、天照石の粉末２ｋｇとセメント２ｋｇを練り合わせ直径２〜３ｃｍの粒状化して乾燥したものとを併せたマイナスイオン活性物質含有加工品２を、網目袋に入れ、約６０度の温湯と共に容入する。
【００１１】
水槽１にて、マイナスイオン活性物質含有した温湯をパイプ３によりボイラー４に供給して、マイナスイオン活性物質含有蒸気を蒸気送付パイプ５によりセット室６及び乾燥室９に供給する。操作盤８により蒸気は自動的にセット室６と乾燥室９に断続的に供給される。
【００１２】
セット室６は横幅５２０ｍｍ、奥行き４００ｍｍ、高さ１０８０ｍｍで、自動扉７により封鎖され、蒸気により室内温度約１２５度で圧力を掛け、マイナスイオン活性物質を繊維（靴下１０足分）に蒸気により付着させる。時間は約１５秒である。更に蒸気噴出し口にマイナスイオン活性物質含有加工品２を配置することにより作用を高める。
【００１３】
乾燥室９は横幅５００ｍｍ、奥行き４４０ｍｍ、高さ１０５０ｍｍで、熱風の通るほこり取り網上にマイナスイオン活性物質含有加工品２を配置し、マイナスイオン化して繊維を乾燥させる。室内温度約８５度で時間約３０秒である。
【００１４】
コンベヤトラック１０には、足型１２（１０足分）を取り付けたキャリエッジ１１が５台が取り付けられており、１周約３分である。
これによりマイナスイオン活性物質付着靴下が得られる。
【００１５】
【発明の効果】
本発明は、以上説明したように構成されているので、以下に記載されるような効果を奏する。
本発明のマイナスイオン活性物質含有蒸気により繊維製品にマイナスイオン活性物質を付着させるからセット室内で約１５秒、乾燥室約３０秒で一作業が完了し、（コンベヤの一周  約３分）であるから、時間、労力、経費の節約に繋がり、大量に処理できる効果がある。また、マイナスイオン活性物質の付着の状態も満足した繊維製品がえられる。
【図面の簡単な説明】
【図１】本発明のマイナスイオン活性物質付着繊維加工の概念図である。
【符号の説明】
１  水槽
２  マイナスイオン活性物質含有加工品
３  パイプ
４  ボイラー
５  蒸気送付パイプ
６  セット室
７  セット室自動扉
８  操作盤
９  乾燥室
１０  コンベヤトラック
１１  キャリエッジ
１２  足型
【図１】
2004149949.tif 000003
(57)【要約】      （修正有）【課題】雷を受けた場合に、致命的な打撃を避けることのできる雷撃回避救命衣服を提供する。【解決手段】室外用衣服、特にゴルフ用ベスト、登山用衣服、スキーウエア等において、基布の中に金属質の導電性素材を編み込んだり、導電素材によって作成されたテープを縦状につけたり、塗布することによって、落雷時に着用者の身体表面から電流を足下に導いて、内臓への負担を少なくする。【選択図】図１
2004149946.tif 000002
【特許請求の範囲】
【請求項１】
衣服の一部に、導電素材を使用した糸を縦状に編み込んであることを特徴とする雷撃回避救命衣服。
【請求項２】
前記導電素材は、金属細線を基布に縦状に縫い込んであることを特徴とする請求項１記載の雷撃回避救命衣服。
【請求項３】
前記導電素材は、カプセルに入れた導電素材を基布に縦状に塗り込めてあることを特徴とする請求項１記載の雷撃回避救命衣服。
【請求項４】
請求項１記載の衣服は、登山衣服、ゴルフウエア、スキーウエア等の室外で着用する衣服であることを特徴とする雷撃回避救命衣服。
【発明の詳細な説明】
【０００１】
【発明の属する技術分野】
本発明の衣服が室外で長く着用する衣服類に関し、さらに詳しくは、服地の一部に縦状に導電素材を編み込むことによって、雷を受けた場合に身体外部の衣服面上を通電させて、致命的な打撃を避けることのできる新規な雷撃回避救命衣服を提供するものである。
【０００２】
【従来技術】
従来登山を行う場合、特に落雷を防ぐために金属類を身体につけないで歩行し、雷が鳴るときには、高い木のそばに寄らない等の教えがあった。
【０００３】
また、室外競技であるゴルフやスキー等の場合も、プレー中に直ぐに近くの建家に避難できない時もあり、プレーヤーの持っているゴルフクラブやストック等の金属製道具に落雷し、不幸にもプレーヤーに危害を与えることも多々あった。
【０００４】
一方、衣服として帯電を防止するものとして、特開昭５４−１３８７４４号「制電性衣服」は、「有機導電性物質を含有する線状重合体が繊維形成性重合体内に筋状に分散され、その電気比抵抗が１０〜１０８０・ｃｍである導電性有機繊維を、０．０５〜２０％混用した布帛からなり、かつ付属品として金属物を一切用いない制電性衣服」が開示されており、衣服での帯電を防止するものと知られている。
【０００５】
また特開平３−２３７７９９号「導電性織物およびその製造方法」には、基布としてポリエステルを代表とする合成繊維の表面に、酸化錫、酸化インジウム、酸化亜鉛および酸化インジウムに錫をドーピングした酸素欠損ｎ型半導体材料からなる導電性被膜を設けることによって、衣料用としての触感を損なわずに優れた導電性能を有する織物は知られている。
【０００６】
【発明が解決しようとする課題】
しかしながら基本的に雷が発生した場合には、出来るだけ高い木や広場から離れることが先決であるという考え方が強いため、着衣に対する対応は現在まで何らなされていないのが現状であった。
【０００７】
その後の科学的実験等を経て、雷の挙動を調査した研究によると人体の着衣に金属がある場合には、その金属を通して雷の電流が着衣の表面を流れて足下に抜けるという結果が示された。
【０００８】
これにより、逆に着衣に金属製の導電素材をはじめから設けていれば、落雷時の電流を体内に閉じこめることなく、身体表面から電流を体外に導くことが可能でないかと考えるに至った。
【０００９】
【課題を解決するための手段】
本発明者は、かかる課題を解決するために鋭意研究したところ、繊維とどのようにして金属導線をなじませるかが解決の起点であることに気づき、導電素材を衣服に対して縦状に設けると電流が足下に流れるようにした衣服を提供することが出来た。
【００１０】
すなわち本発明の第一は、衣服の一部に、導電素材を縦状に設けてあることを特徴とする雷撃回避救命衣服である。
【００１１】
本発明の第二は、前記導電素材は、金属細線を使用した糸を縦状に編み込んであることを特徴とする請求項１記載の雷撃回避救命衣服である。
【００１２】
本発明の第三は、前記導電素材は、カプセルに入れた導電素材を基布に縦状に塗り込めてあることを特徴とする請求項１記載の雷撃回避救命衣服である。
【００１３】
本発明の第四は、請求項１記載の衣服は、登山衣服、ゴルフウエア、スキーウエア等の室外で着用する衣服であることを特徴とする雷撃回避救命衣服である。
【００１４】
【発明の実施の態様】
図１は、本発明の一実施例を示すゴルフ用ベスト１であるが、基布２としてウールを用い、導電素材として、これらの部分が約３〜５ｃｍ位の幅で縦状になるようにし、表裏、左右側面に４本の導電部３を設けた。
【００１５】
この場合、基布としては前記のウールの他に、綿、カシミヤ等季節に合わせて生地素材を変え得るのは当然である。
【００１６】
また導電素材として、ステンレス、銅等の導電金属からなる細線を前記生地繊維と組み合わせて、同様に約３〜５ｃｍくらいの縦状の導電部３を設けることでも、同様な効果を得るものである。
【００１７】
このほか導電素材としては、カプセルに入れた導電素材をウール生地の中に塗り込み、或いは導電性素材によって作成されたテープを上記同様の縦幅を有するようにすることも可能である。
【００１８】
本発明対象の衣服としては、上記のゴルフ用ベストのみならず、室外で着用する機会の多い登山服（上下）、スキーウエア（上下）があげられ、これらの衣服の一部、好ましくは表裏、あるいは左右側面の部分に導電部３を設けるとよい。
【００１９】
【発明の効果】
本発明の衣服は、生地の一部に導電素材を縦状に設けてある構造であるが、不幸にして落雷時に遭遇した時には、電流は着衣の送電部を通過して足下に抜けるため、従来の衣服のように体内に電流が滞留し、心臓等に対する致命的な事故を防止できる効果を有する。
【００２０】
製造工程上についても、生地繊維に導電素材の入ったカプセルを塗り込めることや、金属細線を繊維と組み合わせて撚糸することにより糸を製造することは簡易にできるために、人体に安全な衣服として安価に販売可能である。
【図面の簡単な説明】
【図１】本発明にかかるゴルフ用ベストの表面側を示す正面図である。
【図２】図１におけるゴルフ用ベストの裏面側を示す背面図である。
【図３】登山用衣服の表面側を示す正面図である。
【図４】登山用ズボンの側面を示す側面図である。
【符号の説明】
１・・・ゴルフ用ウエア
２・・・基布
３・・・導電部
４・・・登山用衣服
５・・・登山用ズボン
【図１】
2004149946.tif 000003
【図２】
2004149946.tif 000004
【図３】
2004149946.tif 000005
【図４】
2004149946.tif 000006
(57)【要約】【課題】多数のＬ字型コンセントをまとまり良く差せるようにする。【解決手段】少なくとも一部の差込口１２を、コンセント軸線Ａに対して斜めに傾ける。【選択図】　　　図６
2004095470.tif 000002
【特許請求の範囲】
【請求項１】
複数の差込口が並設された電気配線用コンセントにおいて、
少なくとも一部の差込口が、コンセント軸線に対して斜めに傾けられていることを特徴とする電気配線用コンセント。
【請求項２】
少なくとも一部の差込口が、残りの少なくとも一部の差込口と異なる方向に傾けられていることを特徴とする請求項１又は２に記載の電気配線用コンセント。
【請求項３】
少なくとも一部の差込口が、残りの少なくとも一部の差込口に対してオフセットして配置されていることを特徴とする請求項１又は２に記載の電気配線用コンセント。
【発明の詳細な説明】
【０００１】
【発明の属する技術分野】
本発明は、電気配線用コンセントに係り、特に、テーブルタップに用いるのに好適な、多数のＬ字型ソケットを同時に挿入可能な、複数の差込口が並設された電気配線用コンセントに関する。
【０００２】
【従来の技術】
複数の差込口が並設されたコンセントを有するテーブルタップが実用化されている。これは、通常、図１に示す如く、全ての差込口１２が、コンセント１０の軸線Ａに対して平行とされており、図２に示す如く、平型ソケット２０を多数差し込む場合に適している。
【０００３】
図において、１４は、コンセント１０のケーブル、２２は、ソケット２０のピン、２４は、ソケット２０のケーブルである。
【０００４】
しかしながら、図３に示す如く、Ｌ字型のソケット２１を差し込む場合には、相互に干渉してしまい、隣り合う差込口を使用できない場合がある。
【０００５】
このような問題点を解決するものとして、図４に示す如く、全ての差込口１２をコンセント軸線Ａに対して垂直に配置したものがある。図４のコンセントによれば、Ｌ字型ソケット２１を効率良く差し込むことができる。
【０００６】
【発明が解決しようとする課題】
しかしながら、後者においては、差込口１個当りの占有長さが大きくなるため、差込口１２の数が減るだけでなく、各ソケット２１のケーブル２４がコンセント１０の軸線Ａに対して垂直に飛び出すため、該方向の寸法が大きくなり、占有面積が大きくなるという問題点を有していた。
【０００７】
なお、本発明に類似するものとして、図５に示す如く、ソケット２０を斜めに差込んだ後、矢印方向に回転させてロックするものがあるが、ロックした状態では図１のコンセントと同様な配置になり、同様な問題があった。
【０００８】
本発明は、前記従来の問題点を解決するべくなされたもので、少ない占有面積で、Ｌ字型ソケットを多数差し込むことが可能な電気配線用コンセントを提供することを課題とする。
【０００９】
【課題を解決するための手段】
本発明は、複数の差込口が並設された電気配線用コンセントにおいて、少なくとも一部の差込口を、コンセント軸線に対して斜めに傾けることにより、前記課題を解決したものである。
【００１０】
又、少なくとも一部の差込口を、残りの少なくとも一部の差込口と異なる方向に傾けたものである。
【００１１】
又、少なくとも一部の差込口を、残りの少なくとも一部の差込口に対してオフセットして配置したものである。
【００１２】
【発明の実施の形態】
以下図面を参照して、本発明の実施形態を詳細に説明する。
【００１３】
本発明の第１実施形態は、図６に示す如く、複数（図では４個）の差込口１２が並設された電気配線用コンセント１０において、全ての差込口１２を、コンセント軸線Ａに対して同じ方向に角度θだけ斜めに傾けたものである。
【００１４】
前記傾ける角度θはソケット２１の形状に応じて適宜幾何学的に選定され、例えば３０°〜６０°の範囲とすることができる。
【００１５】
各差込口１２にソケット２１を差し込んだ状態を図７に示す。図７から明らかなように、コンセント１０の幅方向（図の上下方向）の占有寸法を大とすることなく、多数のＬ字型コンセントを、まとまり良く挿入することができる。
【００１６】
なお、第１実施形態においては、全ての差込口１２が同じ方向に傾けられていたが、差込口を傾ける方向はこれに限定されず、図８に示す第２実施形態のように、例えばコンセント１０の左半分と右半分で傾ける方向を逆にすることも可能である。
【００１７】
あるいは、図９に示す第３実施形態のように、両端は従来例と同様にコンセント軸線Ａに対して平行とし、中間の差込口１２のみを同じ方向あるいは異なる方向に傾けることも可能である。
【００１８】
なお、前記実施形態においては、いずれも、差込口１２がコンセント軸線Ａ上に配置されていたが、図１０に示す第４実施形態のように、差込口の位置をコンセント軸線Ａに対してオフセットして配置することも可能である。
【００１９】
このようにオフセット配置した場合には、差込口の間隔を詰めることができる。
【００２０】
なお、前記実施形態においては、いずれも、本発明がテーブルタップのコンセントに適用されていたが、本発明の適用対象はこれに限定されず、壁に固定するコンセントにも同様に適用できることは明らかである。
【００２１】
【発明の効果】
本発明によれば、多数のＬ字型ソケットを、ケーブルの占有面積を広げることなく、まとまり良く差し込むことが可能となる。
【図面の簡単な説明】
【図１】従来のテーブルタップで用いられているコンセントの一例を示す平面図
【図２】同じく平型ソケットを差した状態を示す正面図
【図３】同じくＬ字型ソケットを差した状態を示す正面図
【図４】従来のコンセントの他の例を示す平面図
【図５】従来のコンセントの更に他の例を示す平面図
【図６】本発明の第１実施形態の構成を示す平面図
【図７】同じくＬ字型ソケットを差した状態を示す平面図
【図８】本発明の第２実施形態の構成を示す平面図
【図９】同じく第３実施形態の構成を示す平面図
【図１０】同じく第４実施形態の構成を示す平面図
【符号の説明】
１０…コンセント
Ａ…軸線
１２…差込口
１４、２４…ケーブル
２０、２１…ソケット
【図１】
2004095470.tif 000003
【図２】
2004095470.tif 000004
【図３】
2004095470.tif 000005
【図４】
2004095470.tif 000006
【図５】
2004095470.tif 000007
【図６】
2004095470.tif 000008
【図７】
2004095470.tif 000009
【図８】
2004095470.tif 000010
【図９】
2004095470.tif 000011
【図１０】
2004095470.tif 000012
(57)【要約】　　　（修正有）【課題】電池のリード端子が何らかの外力で抜け出すこともなく断線の危惧も無いチューブパック構造を提供する。【解決手段】複数の電池を並列的に並べて平面的に固定したパック本体と、該パック本体の電池の電極側を覆い他を露出する構造のＰＢＣチューブとからなり前記電池のリード端子を前記並列方向に引き出すようにしたことを特徴とするチューブパック構造とする。【選択図】図１
2004095409.tif 000002
【特許請求の範囲】
【請求項１】
複数の電池を並列的に並べて平面的に固定したパック本体と、該パック本体の電池の電極側を覆い他を露出する構造のＰＢＣチューブとからなり前記電池のリード端子を前記並列方向に引き出すようにしたことを特徴とするチューブパック構造。
【請求項２】
前記パック本体の並列方向の幅と前記ＰＢＣチューブとの開口しない側の幅とは略同一にしたことを特徴とする請求項１記載のチューブパック構造。
【請求項３】
前記ＰＢＣチューブパックは左右が開口した構造にしたことを特徴とする請求項１記載のチューブパック構造。
【請求項４】
前記ＰＢＣチューブパックの長手方向の寸法は前記パック本体の長手方向の寸法より長くしたことを特徴とする請求項１記載のチューブパック構造。
【発明の詳細な説明】
【０００１】
【産業上の利用分野】
この発明は、電子機器本体等に電池パックとして構成し電源として採用されるチューブパックの構造の改良に関する。
【０００２】
【従来の技術】
従来、ニッケル水素電池を幾つか並列的に平面的に組み合わせ固定しパック本体を構成し、パック本体の電池の電極から端子を外部に導出しこの上からＰＢＣチューブを被せ熱的に収縮させて残留表示基盤とともに一体的に構成するようにしている。この場合、ＰＢＣチューブの幅方向の寸法はパック本体の幅より長いために収縮させた際、四隅で角に回り込み、この為、導出する端子は曲げられて導出されることになり経年に不都合が生じる懸念がある。
【０００３】
【発明が解決しようとする課題】
そこで、この発明の課題は複数の電池を並列的に並べて平面的に固定したパック本体と、該パック本体の電池の電極側を覆い他を露出する構造のＰＢＣチューブとからなり前記電池のリード端子を前記並列方向に引き出すようにしたことで導出が無理でなくなり、経年何らかの外力で抜け出すこともなく断線の危惧もないチューブパック構造を提供するものである。
【０００４】
【課題を解決するための手段】
発明の課題を解決するための手段は複数の電池を並列的に並べて平面的に固定したパック本体と、該パック本体の電池の電極側を覆い他を露出する構造のＰＢＣチューブとからなり前記電池のリード端子を前記並列方向に引き出すようにしたことを特徴とするチューブパック構造である。
【０００５】
【作用】
ＰＢＣチューブをパック本体に被せて熱を加えると収縮し、ＰＢＣチューブは内側に残留表示基盤を内蔵してパック本体を強固に固定する。このように強固に固定しても電池の電極から引き出されるリード端子は無理なく引き出されるものである。経年無理な力も掛からないものである。
【０００６】
【発明実施の形態】
以下、この発明の一実施形態を図１、図２、図３に基づいて説明する、１はパック本体で、このパック本体１は複数個の電池２をテープ３によって並列的に平面的に固定する。このように固定したパック本体１はＰＢＣチューブ４によってカバーされ、熱を加えることで収縮させて一層強固な固定を計る。５は残留表示基盤を示し、ＰＢＣチューブ４の内側に内蔵される。前記ＰＢＣチューブ４の幅Ｌはパック本体１の幅Ｌと略同一寸法でしかもＰＢＣチューブ４は左右が開口している。前記同一寸法は熱収縮させた場合、図１の電池２の電極に接続導出した端子６を側部に折り曲げるような状態にならずスムーズな方向へ導出されることになる。従って端子６の抜けだし、断線といった懸念も生じないものである。
【０００７】
尚前記のＰＢＣチューブ４は縦が短く横（Ｌ方向）が長くてもよいものである。もちろんこの場合、パック本体も同様形状であることはゆうまでもない。
【０００８】
【発明の効果】
以上のように本発明は複数の電池を並列的に並べて平面的に固定したパック本体と、該パック本体の電池の電極側を覆い他を露出する構造のＰＢＣチューブとからなり前記電池のリード端子を前記並列方向に引き出すようにしたので端子が変に曲げられたり、何らかの外力で抜け出すようなことも無くなるなどの効果があるチューブパックを提供できる。
【図面の簡単な説明】
【図１】この発明の一実施形態を示す全体斜視図。
【図２】パック本体の斜視図。
【図３】ＰＢＣチューブの斜視図。
【符号の説明】
１、パック本体
２、電池
３、テープ
４、ＰＢＣチューブ
５、残留表示基盤
６、端子
【図１】
2004095409.tif 000003
【図２】
2004095409.tif 000004
【図３】
2004095409.tif 000005